(57)【特許請求の範囲】
【請求項１】
ボウル部と、該ボウル部の下端に接続されたトラップ部と、該トラップ部に設けられたノズル口とを備え、該ボウル部及び該トラップ部は陶器製の洋風便器本体により構成され、該ノズル口には該洗浄水を吐出可能な洗浄装置とジェット用配管により接続されたジェットノズルが固定され、該ジェットノズルのジェット口により洗浄水を該トラップ部に沿って噴出する洋風水洗式便器において、
前記ジェット用配管は前記洋風便器本体とは別に構成され、該洋風便器本体は前記ボウル部及び前記トラップ部を隠蔽する台座部を有し、該台座部には該ジェット用配管を内部に案内する開口が形成され、該開口は封止されており、
該トラップ部及び該ジェット用配管を囲包すべく該台座部の内面に周縁が固定され、該トラップ部の排出口を剥き出しとし、該トラップ部を防露する防露材により該ジェット用配管を防露することを特徴とする洋風水洗式便器。
【請求項２】
開口は上方より目視しやすい位置に貫設されていることを特徴とする請求項１記載の洋風水洗式便器。
【請求項３】
洗浄装置は、外部より洗浄水を供給する給水管に直結され、バルブの開閉により洗浄水を吐出可能なものであることを特徴とする請求項１又は２記載の洋風水洗式便器。
【発明の詳細な説明】
【０００１】
【発明が属する技術分野】
本発明は洋風水洗式便器に関する。
【０００２】
【従来の技術】
洋風水洗式便器として、ボウル部と、ボウル部の上縁に形成され、ボウル部に洗浄水を流下可能なリム通水路を内部にもつリムと、ボウル部の下端に接続されたトラップ部と、トラップ部に設けられたノズル口とを備えたものが知られている。従来の洋風水洗式便器では、ボウル部及びトラップ部が陶器製の洋風便器本体により構成され、ノズル口には洋風便器本体とは別体のジェットノズルが固定され、このジェットノズルがジェット用配管により洗浄装置と接続されることにより、ジェットノズルのジェット口により洗浄水をトラップ部に沿って噴出するようになっている。
【０００３】
かかる洋風水洗式便器では、洗浄装置から吐出された洗浄水がリム通水路を介してリムに供給され、これによりボウル部の洗浄や溜水の確保が行われる。また、洗浄水はジェット用配管を介してジェット口にも供給され、これにより強制的にサイホン効果を生じさせて少ない洗浄水でも汚物の排出が可能となされている。このため、この洋風水洗式便器では、節水によるランニングコストの低廉化を実現可能である。また、この洋風水洗式便器では、陶器製の洋風便器本体が比較的簡易な形状であるため、製造コストの低廉化を実現可能である。
【０００４】
また、洋風水洗式便器として、トラップ部の下方に防露材を設けたものも知られているとともに、さらにジェット用配管を他の防露材で囲包したものも知られている。
【０００５】
この洋風水洗式便器では、水温と室温との差が大きく、湿度も高い環境で用いられた場合でも、主として防露材によりトラップ部やジェット用配管を断熱することができるため、トラップ部やジェット用配管の外面の結露を防止することができる。
【０００６】
【発明が解決しようとする課題】
しかし、上記従来の洋風水洗式便器では、トラップ部の防露材とジェット用配管の防露材とが別体であるため、製造コストの高騰化を生じてしまう。
【０００７】
本発明は、上記従来の実情に鑑みてなされたものであって、製造コストの低廉化を実現することのできる洋風水洗式便器を提供することを解決すべき課題とする。
【０００８】
【課題を解決するための手段】
本発明の洋風水洗式便器は、ボウル部と、該ボウル部の下端に接続されたトラップ部と、該トラップ部に設けられたノズル口とを備え、該ボウル部及び該トラップ部は陶器製の洋風便器本体により構成され、該ノズル口には該洗浄水を吐出可能な洗浄装置とジェット用配管により接続されたジェットノズルが固定され、該ジェットノズルのジェット口により洗浄水を該トラップ部に沿って噴出する洋風水洗式便器において、
前記ジェット用配管は前記洋風便器本体とは別に構成され、該洋風便器本体は前記ボウル部及び前記トラップ部を隠蔽する台座部を有し、該台座部には該ジェット用配管を内部に案内する開口が形成され、該開口は封止されており、
該トラップ部及び該ジェット用配管を囲包すべく該台座部の内面に周縁が固定され、該トラップ部の排出口を剥き出しとし、該トラップ部を防露する防露材により該ジェット用配管を防露することを特徴とする。
【０００９】
本発明の洋風水洗式便器では、トラップ部を防露する防露材によりジェット用配管を防露することから、ジェット用配管独自の防露材が不要となり、製造コストの低廉化を実現できる。
【００１０】
洋風便器本体にはジェット用配管を内部に案内する開口が台座部に形成され、この開口は封止されている必要がある。さもなければ、トラップ部及びジェット用配管を含む内部に開口から湿気を含む新しい空気が侵入し、防露効果が劣るからである。そのような開口は、上方より目視しやすい位置に貫設されていることが好ましい。これにより洋風水洗式便器の組み付け性が向上するからである。
【００１１】
洗浄装置としては、従来公知の洗浄タンクの他、外部より洗浄水を供給する水道管等の給水管に直結され、バルブの開閉により洗浄水を吐出可能なものを採用することができる。後者の洗浄装置を採用する場合に本発明の効果が大きい。前者の洗浄装置は、洗浄水を一旦貯留して吐出するものであり、貯留時にジェット用配管内の洗浄水がトイレ室内の温度と同等になりやすいため、ジェット用配管の外面で結露を生じ難いのに対し、後者の洗浄装置は、随時新しい洗浄水を外部の給水管から吐出するため、ジェット用配管内に外部に存在した洗浄水が流れることとなり、ジェット用配管の内外で温度差を生じやすく、防露材を設けなければ、そこでの結露を生じやすいからである。
【００１２】
【発明の実施の形態】
以下、本発明を具体化した実施形態１〜３を図面を参照しつつ説明する。
【００１３】
（実施形態１）
実施形態１の洋風水洗式便器は、図１に示すように、陶器製の洋風便器本体１と、外部より洗浄水を供給する図示しない水道管に直結され、バルブを内蔵した洗浄装置２とを有している。なお、便座及び便蓋は図示を省略している。
【００１４】
洋風便器本体１は、図２にも示すように、汚物を受けるボウル部３と、このボウル部３の上縁全周に形成され、ボウル部３に洗浄水を流下可能なリム通水路４ａを内部にもつリム４と、図１に示すように、ボウル部３の下端に接続されたトラップ部５とを備えている。トラップ部５の一次側底部にはノズル口５ａが貫設されている。リム４の後方には平坦に延在する載置部６が形成されており、ボウル部３及びトラップ部５はリム４及び載置部６から下方に延在する台座部７により隠蔽されている。図１及び図２に示すように、台座部７の後方中央には内部に貫通する開口７ａが形成されている。
【００１５】
図１に示すように、洗浄装置２にはジェット用配管８が接続されており、このジェット用配管８は開口７ａを介して台座部７内に延在されている。また、図４に示すように、開口７ａの外側にはジェット用配管８を封止する封止材１３が設けられている。ジェット用配管８はノズル口５ａに固定されるジェットノズル９に接続されている。ジェットノズル９のジェット口９ａは洗浄装置２から供給された洗浄水をトラップ部５に沿って噴出するようになされている。
【００１６】
なお、リム通水路４ａの後方側には洗浄装置２と接続されたリム用配管１０が収納され、リム用配管１０は洗浄装置２から供給された洗浄水をリム通水路４ａ内に噴出するようになされている。また、トラップ部５の二次側である排出口５ｂには、トイレ室の床下に設けられた図示しない排出管と排出口５ｂとを接続する排出ソケット１１が設けられている。
【００１７】
また、この洋風水洗式便器では、特徴的な構成として、洋風水洗式便器１のボウル部３の底部及びトラップ部５の一次側が面状のヒータ１２により囲包されている。ジェット用配管８は、図３に示すように、このヒータ１２に隣接している。ヒータ１２の図示しないコードは洋風便器本体１の台座部７に貫設された図示しない他の開口に挿通され、この開口の外側にはコードを封止する図示しない封止材が設けられている。
【００１８】
さらに、図１及び図３に示すように、ヒータ１２の下方では、トラップ部５及びジェット用配管８を囲包すべく、台座部７の内面に周縁が固定され、トラップ部５の排出口５ｂを剥き出しとした面状の防露材１４が設けられている。
【００１９】
以上のように構成された洋風水洗式便器では、洋風便器本体１に貫設された開口７ａが封止されているため、トラップ部５及びジェット用配管８を含む台座部７の内部に開口７ａから湿気を含む新しい空気が侵入することはなく、防露効果が優れている。そして、トラップ部５を防露する防露材１４によりジェット用配管８を防露することから、ジェット用配管８独自の防露材が不要となり、製造コストの低廉化を実現できる。
【００２０】
（実施形態２）
実施形態２の洋風水洗式便器では、図５に示すように、洋風水洗式便器１のボウル部３の底部、トラップ部５の一次側及びジェット用配管８が面状のヒータ１５により囲包されている。他の構成は実施形態１と同様である。
【００２１】
この洋風水洗式便器においても、実施形態１と同様の作用効果を奏することができる。
【００２２】
（実施形態３）
実施形態３の洋風水洗式便器では、図６に示すように、ヒータ１２のコード１２ａがジェット用配管８とともに開口７ａに挿通されている。開口７ａの外側にはこれらジェット用配管８及びコード１２ａを封止する封止材１６が設けられている。他の構成は実施形態１又は実施形態２と同様である。
【００２３】
この洋風水洗式便器では、コード１２ａを挿通するための開口７ａを別途洋風便器本体１に形成する必要がないことから、洋風便器本体１の製造が容易となり、製造コストの低廉化を実現できるとともに、見栄えもよくなっている。他の作用効果は実施形態１又は実施形態２と同様である。
【図面の簡単な説明】
【図１】実施形態１の洋風水洗式便器の縦断面図である。
【図２】実施形態１の洋風水洗式便器に係る洋風便器本体の平面図である。
【図３】実施形態１の洋風水洗式便器の横断面図である。
【図４】実施形態１の洋風水洗式便器の要部縦断面図である。
【図５】実施形態２の洋風水洗式便器の横断面図である。
【図６】実施形態３の洋風水洗式便器の要部縦断面図である。
【符号の説明】
１…洋風便器本体
３…ボウル部
５…トラップ部
２…洗浄装置
８…ジェット用配管
９…ジェットノズル
９ａ…ジェット口
１４…防露材
７ａ…開口
【図１】
0004116226.tif 000002
【図２】
0004116226.tif 000003
【図３】
0004116226.tif 000004
【図４】
0004116226.tif 000005
【図５】
0004116226.tif 000006
【図６】
0004116226.tif 000007